(57)【特許請求の範囲】
【請求項１】
放射線を照射した被写体からの透過波を撮像手段で電気信号に変換して該被写体を撮影する放射線撮影システムであって、
撮影に関する情報を示す複数の機能画像を第１の表示形態で表示手段に表示させる表示制御手段と、
前記複数の機能画像のうち選択された機能画像の表示を前記第１の表示形態から前記第１の表示形態とは異なる第２の表示形態に変更し、前記撮像手段が駆動状態から所定時間経過して非駆動状態になった場合に前記選択された機能画像の表示を前記第２の表示形態から前記第１及び第２の表示形態とは異なる第３の表示形態に変更し、前記第３の表示形態として表示される機能画像が選択された場合に前記選択された機能画像の表示を前記第３の表示形態から前記第２の表示形態に変更する制御手段と、
を有することを特徴とする放射線撮影システム。
【請求項２】
前記制御手段が、前記第３の表示形態として表示される機能画像が選択された場合に前記撮像手段を非駆動状態から駆動状態に制御し、前記駆動状態に制御された場合に前記選択された機能画像の表示を前記第３の表示形態から前記第２の表示形態に変更することを特徴とする請求項１に記載の放射線撮影システム。
【請求項３】
前記表示制御手段が、前記第２の表示形態として表示される機能画像が再び選択された場合に複数の撮像手段のいずれかを選択する選択画像を前記表示手段に表示させ、
前記制御手段が、前記選択画像において前記撮像手段とは異なる撮像手段が選択された場合に前記選択された撮像手段を駆動状態に制御することを特徴とする請求項２に記載の放射線撮影システム。
【請求項４】
前記制御手段が、前記選択された機能画像の表示が前記第２の表示形態から前記第３の表示形態に変更されてからの経過時間に応じて、前記第３の表示形態を変化させることを特徴とする請求項１乃至３のいずれか１項に記載の放射線撮影システム。
【請求項５】
前記撮像手段の前記駆動状態からの経過時間を測定する測定手段と、
前記経過時間が前記所定時間内であるか否かを判断する判断手段と、を有し、
前記判断手段が、前記経過時間が前記所定時間を過ぎるまでの間に前記電気信号の変換がある場合、前記撮像手段を再び駆動状態に制御されたときに、前記測定手段の測定を再び開始して前記判断を行うことを特徴とする請求項１乃至４のいずれか１項に記載の放射線撮影システム。
【請求項６】
前記判断手段の判断結果及び前記電気信号の変換の有無に対応する信号を前記制御手段に送信することを特徴とする請求項５に記載の放射線撮影システム。
【請求項７】
前記表示制御手段が、前記複数の機能画像を一覧表示させ、前記複数の機能画像のうち第１の機能画像が選択された場合に該第１の機能画像の示す撮影が終了した後に、該第１の機能画像に該撮影の終了を示す表示形態を表示させ、
前記制御手段が、前記第１の機能画像の示す撮影が終了した後に、前記複数の機能画像の一つである第２の機能画像の表示を前記第１の表示形態から前記第２の表示形態に変更することを特徴とする請求項１乃至６のいずれか１項に記載の放射線撮影システム。
【請求項８】
前記制御手段が、
前記複数の機能画像から所定の機能画像の選択により前記撮像手段に駆動信号を送信する送信手段と、
前記駆動信号に応じて前記撮像手段を前記駆動状態に制御する駆動制御手段と、を有し、
前記駆動信号を前記撮像手段で受信してからの経過時間が所定期間を過ぎるまでの間に前記電気信号の変換がない場合、該経過時間が該所定期間を過ぎたときに、前記駆動制御手段が前記撮像手段を前記非駆動状態に制御することを特徴とする請求項１乃至７のいずれか１項に記載の放射線撮影システム。
【請求項９】
前記放射線を放射する放射手段と前記撮像手段とがそれぞれ複数あり、
前記送信手段が、前記選択された機能画像に基づく放射手段及び撮像手段に、該機能画像に基づく撮影条件に関する信号を送信することを特徴とする請求項８に記載に記載の放射線撮影システム。
【請求項１０】
前記制御手段が、前記駆動状態からの経過時間が所定期間を過ぎるまでの間に前記電気信号の変換がない場合に該経過時間が該所定期間を過ぎたときに前記撮像手段を前記非駆動状態に制御し、前記経過時間が前記所定時間を過ぎるまでの間に前記電気信号の変換がある場合に前記電気信号を用いて前記被写体の画像を取得することを特徴とする請求項１乃至９のいずれか１項に記載の放射線撮影システム。
【請求項１１】
前記制御手段が、前記非駆動状態において前記複数の機能画像のうち前記第３の表示形態として表示される機能画像以外の機能画像が選択された場合に前記選択された機能画像が示す撮影モードで前記撮像手段を駆動することを特徴とする請求項１乃至１０のいずれか１項に記載の放射線撮影システム。
【請求項１２】
コンピュータを、請求項１乃至１１のいずれか１項に記載の放射線撮影システムの各手段として実行することを特徴とするプログラム。
【請求項１３】
撮影に関する情報を示す複数の機能画像を第１の表示形態で表示手段に表示させる表示制御手段と、
前記複数の機能画像のうち選択された機能画像の表示を前記第１の表示形態から前記第１の表示形態とは異なる第２の表示形態に変更し、放射線を照射した被写体からの透過波を電気信号に変換する撮像手段が駆動状態から所定時間経過して非駆動状態になった場合に前記選択された機能画像の表示を前記第２の表示形態から前記第１及び第２の表示形態とは異なる第３の表示形態に変更し、前記第３の表示形態として表示される機能画像が選択された場合に前記選択された機能画像の表示を前記第３の表示形態から前記第２の表示形態に変更する制御手段と、
を有することを特徴とする制御装置。
【請求項１４】
前記制御手段が、前記第３の表示形態として表示される機能画像が選択され且つ前記撮像手段が非駆動状態から駆動状態に制御された場合に前記選択された機能画像の表示を前記第３の表示形態から前記第２の表示形態に変更することを特徴とする請求項１３に記載の制御装置。
【請求項１５】
前記表示制御手段が、前記第２の表示形態として表示される機能画像が再び選択された場合に複数の撮像手段のいずれかを選択する選択画像を前記表示手段に表示させ、
前記制御手段が、前記選択画像において前記撮像手段とは異なる撮像手段が選択された場合に前記選択された撮像手段を駆動状態に制御することを特徴とする請求項１４に記載の制御装置。
【請求項１６】
前記制御手段が、前記選択された機能画像の表示が前記第２の表示形態から前記第３の表示形態に変更されてからの経過時間に応じて、前記第３の表示形態を変化させることを特徴とする請求項１３乃至１５のいずれか１項に記載の制御装置。
【請求項１７】
前記表示制御手段が、前記複数の機能画像を一覧表示させ、前記複数の機能画像のうち第１の機能画像が選択された場合に該第１の機能画像の示す撮影が終了した後に、該第１の機能画像に該撮影の終了を示す表示形態を表示させ、
前記制御手段が、前記第１の機能画像の示す撮影が終了した後に、前記複数の機能画像の一つである第２の機能画像の表示を前記第１の表示形態から前記第２の表示形態に変更することを特徴とする請求項１３乃至１６のいずれか１項に記載の制御装置。
【請求項１８】
前記制御手段が、前記駆動状態からの経過時間が所定期間を過ぎるまでの間に前記電気信号の変換がない場合に該経過時間が該所定期間を過ぎたときに前記撮像手段を前記非駆動状態に制御し、前記経過時間が前記所定時間を過ぎるまでの間に前記電気信号の変換がある場合に前記電気信号を用いて前記被写体の画像を取得することを特徴とする請求項１３乃至１７のいずれか１項に記載の制御装置。
【請求項１９】
前記制御手段が、前記非駆動状態において前記複数の機能画像のうち前記第３の表示形態として表示される機能画像以外の機能画像が選択された場合に前記選択された機能画像が示す撮影モードで前記撮像手段を駆動することを特徴とする請求項１３乃至１８のいずれか１項に記載の制御装置。
【請求項２０】
コンピュータを、請求項１３乃至１９のいずれか１項に記載の制御装置の各手段として実行することを特徴とするプログラム。
【請求項２１】
撮影に関する情報を示す複数の機能画像を第１の表示形態で表示手段に表示させる工程と、
前記複数の機能画像のうち選択された機能画像の表示を前記第１の表示形態から前記第１の表示形態とは異なる第２の表示形態に変更する工程と、
放射線を照射した被写体からの透過波を電気信号に変換する撮像手段が駆動状態から所定時間経過して非駆動状態になった場合に前記選択された機能画像の表示を前記第２の表示形態から前記第１及び第２の表示形態とは異なる第３の表示形態に変更する工程と、
前記第３の表示形態として表示される機能画像が選択された場合に前記選択された機能画像の表示を前記第３の表示形態から前記第２の表示形態に変更する工程と、
を有することを特徴とする制御方法。
【請求項２２】
前記第３の表示形態として表示される機能画像が選択された場合に前記撮像手段を非駆動状態から駆動状態に制御する工程を更に有し、
前記駆動状態に制御された場合に前記選択された機能画像の表示を前記第３の表示形態から前記第２の表示形態に変更する工程を実行することを特徴とする請求項２１に記載の制御方法。
【請求項２３】
前記表示させる工程において、前記第２の表示形態として表示される機能画像が再び選択された場合に複数の撮像手段のいずれかを選択する選択画像を前記表示手段に表示させ、
前記制御する工程において、前記選択画像において前記撮像手段とは異なる撮像手段が選択された場合に前記選択された撮像手段を駆動状態に制御することを特徴とする請求項２２に記載の制御方法。
【請求項２４】
前記選択された機能画像の表示が前記第２の表示形態から前記第３の表示形態に変更されてからの経過時間に応じて、前記第３の表示形態を変化させる工程を更に有することを特徴とする請求項２１乃至２３のいずれか１項に記載の制御方法。
【請求項２５】
前記表示させる工程において、前記複数の機能画像を一覧表示させ、前記複数の機能画像のうち第１の機能画像が選択された場合に該第１の機能画像の示す撮影が終了した後に、該第１の機能画像に該撮影の終了を示す表示形態を表示させ、
前記第１の機能画像の示す撮影が終了した後に、前記複数の機能画像の一つである第２の機能画像の表示を前記第１の表示形態から前記第２の表示形態に変更する工程を実行することを特徴とする請求項２１乃至２４のいずれか１項に記載の制御方法。
【請求項２６】
前記駆動状態からの経過時間が所定期間を過ぎるまでの間に前記電気信号の変換がない場合に該経過時間が該所定期間を過ぎたときに前記撮像手段を前記非駆動状態に制御する工程と、
前記経過時間が前記所定時間を過ぎるまでの間に前記電気信号の変換がある場合に前記電気信号を用いて前記被写体の画像を取得する工程と、
を更に有することを特徴とする請求項２１乃至２５のいずれか１項に記載の制御方法。
【請求項２７】
前記制御手段が、前記非駆動状態において前記複数の機能画像のうち前記第３の表示形態として表示される機能画像以外の機能画像が選択された場合に前記選択された機能画像が示す撮影モードで前記撮像手段を駆動する工程を更に有することを特徴とする請求項２１乃至２６のいずれか１項に記載の制御方法。
【請求項２８】
請求項２１乃至２７のいずれか１項に記載の制御方法の各工程をコンピュータに実行させることを特徴とするプログラム。
【発明の詳細な説明】
【技術分野】
【０００１】
本発明は、放射線を用いて被写体を撮影する放射線撮影システム、制御装置及び制御方法に関する。
【背景技術】
【０００２】
放射線を照射した被写体の透過波を２次元配置した撮像素子で検出し、該検出した強度分布を用いて撮影する放射線撮影装置がある。このとき、撮像素子の駆動時間が長い場合、素子寿命の低下や、熱による暗電流の発生といった課題が生じる。
この課題を解決するために、撮像素子が駆動状態の場合に、操作者が部位設定ボタンを選択すると０からカウントを開始し、一定時間（例えば１０分）を経過すると、撮像素子の駆動状態を解除して非駆動状態にする制御技術が、特許文献１に開示されている。また、特許文献１には、操作者が上記非駆動状態であることを知るために、上記解除に伴い、ディスプレイに表示されている上記選択された部位設定ボタンの選択状態を非選択状態にすることが開示されている。
【先行技術文献】
【特許文献】
【０００３】
【特許文献１】特開２０００−１３９８８９号公報
【発明の概要】
【発明が解決しようとする課題】
【０００４】
ここで、患者の姿勢を整える際、患者の身体が不自由であるなどの理由により、撮影を開始するまでに時間がかかってしまい、上記一定時間を経過してしまうということが考えられる。このとき、上述したように、撮像素子の駆動状態が解除され、ディスプレイには非選択状態として表示されることになる。
【０００５】
ところで、上記解除の後に撮影を再開する場合、操作者はディスプレイに表示されているいずれかの部位設定ボタンを再度選択する必要がある。このとき、操作者がディスプレイを見ても、上記非選択状態では上記一定時間の経過前の選択状態を知ることはできない。これでは、操作者の使い勝手が悪い上、部位設定ボタンの誤選択の可能性がある。
【課題を解決するための手段】
【０００６】
本発明に係る放射線撮影システムが、
放射線を照射した被写体からの透過波を撮像手段で電気信号に変換して該被写体を撮影する放射線撮影システムであって、
撮影に関する情報を示す複数の機能画像を第１の表示形態で表示手段に表示させる表示制御手段と、
前記複数の機能画像のうち選択された機能画像の表示を前記第１の表示形態から前記第１の表示形態とは異なる第２の表示形態に変更し、前記撮像手段が駆動状態から所定時間経過して非駆動状態になった場合に前記選択された機能画像の表示を前記第２の表示形態から前記第１及び第２の表示形態とは異なる第３の表示形態に変更し、前記第３の表示形態として表示される機能画像が選択された場合に前記選択された機能画像の表示を前記第３の表示形態から前記第２の表示形態に変更する制御手段と、を有する。
また、本発明に係る制御装置が、
撮影に関する情報を示す複数の機能画像を第１の表示形態で表示手段に表示させる表示制御手段と、
前記複数の機能画像のうち選択された機能画像の表示を前記第１の表示形態から前記第１の表示形態とは異なる第２の表示形態に変更し、放射線を照射した被写体からの透過波を電気信号に変換する撮像手段が駆動状態から所定時間経過して非駆動状態になった場合に前記選択された機能画像の表示を前記第２の表示形態から前記第１及び第２の表示形態とは異なる第３の表示形態に変更し、前記第３の表示形態として表示される機能画像が選択された場合に前記選択された機能画像の表示を前記第３の表示形態から前記第２の表示形態に変更する制御手段と、を有する。
【発明の効果】
【０００７】
本発明によれば、撮像素子の駆動状態が解除された後であっても、表示部に表示される該解除の前に選択されていた機能画像（例えば、部位選択ボタンのこと。）に、該解除の前の表示形態とは異なる表示形態を表示することができる。このため、上記解除の後に撮影を再開するとき、操作者による上記部位設定ボタンの誤選択を抑制することができる。
【図面の簡単な説明】
【０００８】
【図１】本実施形態に係るＸ線撮影システムの構成を示す図。
【図２】本実施形態に係るＸ線撮影システムの画面レイアウトを示す図。
【図３】本実施形態の撮影手順に関するフロー図。
【図４】本実施形態の撮影手順に関するタイミング図。
【発明を実施するための形態】
【０００９】
本実施形態に係る放射線撮影システム（あるいは放射線制御装置）は、撮像手段が駆動状態から所定時間経過して非駆動状態になった（撮像素子の駆動状態が解除された）場合、表示部に表示される撮影に関する情報を示す複数の機能画像のうち該駆動状態で（該解除の前に）選択されていた撮影方法の機能画像（例えば、表示部に表示される撮影部位を選択する部位選択ボタンのこと。）の表示形態を他の機能画像とは異なる表示形態に変更することができる。これにより、撮像手段が非駆動状態になっても、操作者は、撮像手段が駆動状態だったときの撮影方法の機能画像を知ることができる。このため、上記解除の後に撮影を再開する際に、操作者による上記部位設定ボタンの誤選択を抑制することができる。なお、該解除の後の表示形態は、該解除の前の表示形態に対して類似性の高い表示形態であることが望ましい。これにより、操作者は、該選択されていた撮影方法の機能画像を撮影終了した他の機能画像などと容易に区別することができる。
【００１０】
ここで、撮像素子の駆動状態が解除される条件は、撮像素子で電気信号の変換がない状態で、且つ上記駆動状態からの経過時間が所定期間を過ぎたときである。このとき、選択されていた機能画像（マウスのクリックなどにより押下されると、予め設定されている指令を送信するオブジェクトなどとも呼ぶ。）が、非駆動状態の表示形態から上記駆動状態の解除される前の表示形態に変更される。
【００１１】
以下、本実施形態に係るＸ線撮影システムについて、図１を用いて詳細に説明する。なお、図１は、Ｘ線撮影システムの構成を示す概略図である。ここで、本実施形態では、放射線としてＸ線を適用した例を説明するが、本発明はこれに限定されずα線、β線、γ線などの電磁波であってもよい。
【００１２】
まず、Ｘ線検査の各種情報や撮影画像を表示する液晶ディスプレイなどの表示部２がある。また、各種指示を入力するためのマウスやキーボードなどの等ある操作部３がある。なお、表示部２及び操作部３は、それらが一体となったタッチパネルモニタでも良い。そして、操作部３からの信号を受信した制御部１が、表示部２に表示させる。なお、表示部２に表示させる表示制御部（不図示）は、制御部１の外に別途設けてられていても良い。
【００１３】
また、制御部１は、ケーブルを介してＸ線発生装置８（８ａ、８ｂ）に接続され、Ｘ線発生装置８からのＸ線の照射を制御する。なお、Ｘ線発生装置８を制御する発生装置制御部（不図示）は、制御部１の外に別途設けられていても良い。
【００１４】
Ｘ線検出器７（７ａ、７ｂ）は、被写体を透過したＸ線（透過波）を電気信号に変換し、デジタルデータを取得する検出器として機能する。Ｘ線検出器７の駆動モードとして、例えば、撮像素子に電圧が印加されておりＸ線の照射によりＸ線画像を取得できる撮影モードと、撮像素子への電圧の印加が停止されている待機モードがある。なお、Ｘ線検出器７は、立位や臥位の撮影台６（６ａ、６ｂ）に設置されている。
【００１５】
また、制御部１は、ケーブルを介してＸ線検出器７に接続されており、電源、画像信号や制御信号等が供給される。なお、両者間は、無線ＬＡＮ等のワイヤレスネットワークによる接続であってもよい。
【００１６】
また、制御部１は、病院情報システム（ＨＩＳ）１１、放射線情報システム（ＲＩＳ）１２、画像サーバ（ＰＡＣＳ）１３、プリンタ１４と、ＬＡＮ（Ｌｏｃａｌ  Ａｒｅａ  Ｎｅｔｗｏｒｋ）等のネットワーク１５で接続され、各種情報システムと連携して検査が実施される。ところで、医療分野における放射線を用いた検査では、一般に各診療科の医師が、患者情報や撮影情報の記載された検査依頼書を作成する。そして、撮影技師が、検査依頼書に従って検査を実施する。また、上述のようなネットワークが構築された病院では、ＨＩＳより発行された検査依頼を放射線科のＲＩＳで受領し、検査を実施する。また、ＲＩＳでは、検査依頼に記載された撮影方法が一覧表示される。そして、撮影技師が一覧より撮影方法を選択すると、放射線検出器が駆動状態になり、ＲＩＳは撮影可能状態へと遷移する。これにより、撮影を実施することができる。
【００１７】
次に、本実施形態に係るＸ線撮影システムによる検査の流れについて、図２を用いて説明する。
まず、ＲＩＳ１２からの検査依頼により制御部１に対して検査情報の入力が行われる。ここで、検査情報には、患者名、患者ＩＤなどを含む患者情報と、実施する検査の撮影部位、撮影方向などを含む撮影情報とを含む。検査情報の入力に伴って、制御部１は、表示部２に新規検査入力画面を表示させる。新規検査入力画面には、依頼検査リスト、検査開始ボタンを含んで構成される。撮影技師は、マウス等の入力装置を用いて依頼検査リストから実施する検査を選択する。さらに検査開始ボタンを押下することで、実施する検査が確定する。
【００１８】
次に、検査開始ボタンの押下に伴って、表示部２に図２（ａ）に示す撮影画面を表示する。撮影画面は、患者情報表示領域１０４、撮影情報表示領域１０５、画像表示領域１０２、ステータス表示領域１０３、検査終了ボタン１０７を含んで構成される。患者情報表示領域１０４には、開始した検査の患者情報が表示される。撮影情報表示領域１０５には、撮影情報に対応した撮影方法ボタン１０６（胸部正面ボタン１０６ａや胸部側面ボタン１０６ｂなどのこと。これらを複数の機能画像とも呼ぶ。）が一覧表示される。検査開始直後のデフォルトとして、先頭の撮影方法ボタン１０６ａ（第１の機能画像とも呼ぶ。）が選択状態として表示される。このとき、撮影方法ボタン１０６ａには、次の撮影対象であることを表す撮影対象（撮影対象フォーカスや第２の表示形態とも呼ぶ。）があたる。もちろん、複数の機能画像から第１の機能画像を選択した場合、第１の機能画像を第１の表示形態（選択されていない場合の表示形態のこと。）から第２の表示形態に変更して表示部２に表示させても良い（第１の制御部あるいは駆動制御部により実行されても良い）。
【００１９】
また、制御部１は、上記選択された撮影方法に対応するＸ線発生装置８及びＸ線検出器７を特定する。そして、これらに駆動信号を送信する。例えば、胸部正面ボタン１０６ａが選択された場合、このボタンに対応付けられている立位のＸ線検出器７ａとＸ線発生装置８ａとに駆動信号を送信する。また、制御部１は、上記選択された撮影方法に対応して設定された撮影条件（管電圧、管電流、照射時間等）によりＸ線発生装置８を制御する。また、制御部１は、Ｘ線検出器７に駆動信号を送信する。これに伴ってＸ線検出器７は撮像素子に電圧を加え、上記の撮影モードへと移行し、内部のタイマ（経過時間を測定する測定部とも呼ぶ。）をスタートさせる。
【００２０】
また、Ｘ線発生装置８及びＸ線検出器７の駆動の準備が整うと、制御部１に撮影可能状態であることを指示する照射許可信号が送信される。これにより、撮影可能状態であることを表す「Ｒｅａｄｙ」メッセージが、表示部２のステータス表示領域１０３に表示される。そして、撮影技師は、撮影方法ボタン１０６の選択後に、患者の姿勢を整えるなどの撮影準備を行い、ステータス表示領域１０３のメッセージが「Ｒｅａｄｙ」となっていることを確認し、Ｘ線照射スイッチを押下する。上記押下によって制御部１から送信された信号により、Ｘ線発生装置８にＸ線を照射させ、Ｘ線検出器７は患者を透過したＸ線を検出する。Ｘ線の照射が終了すると、制御部１はＸ線検出器７より撮影画像を取得する。この間、ステータス表示領域には「Ｃａｐｔｕｒｉｎｇ」メッセージを表示する。次に、取得した撮影画像を当該撮影方法に対して設定された画像処理パラメータを用いて画像処理を施し、処理後画像を画像表示領域１０２に表示する。最後に、撮影方法ボタン１０６ａのサムネイル領域に撮影画像のサムネイルを表示し、撮影ボタンのフォーカスを画像表示領域１０２に画像が表示されている撮影方法であることを表すフォーカス（以下、画像表示フォーカス）に変更する。以上の処理により当該撮影方法の撮影を終了する。
さらに、制御部１は、前撮影方法の撮影終了に伴って、次の撮影方法ボタン１０６ｂ（第２の機能画像とも呼ぶ。）を選択状態とし、撮影可能状態へ移行を開始する（図２（ｂ））。なお、操作部３より撮影方法ボタン１０６の指定を行うことで、指定した撮影方法の撮影可能状態への移行が開始される。
以上の手順を繰り返すことにより、撮影技師は全撮影方法の撮影を実施する。全ての撮影が完了すると、検査終了ボタン１０７を押下し、検査を終了する。検査が終了すると、制御部１は、撮影画像、検査情報、検査実施情報などをＨＩＳ１１、ＲＩＳ１２、ＰＡＣＳ１３、プリンタ１４等の各種情報システムへ出力する。
【００２１】
次に、上述の制御部１において、所定時間経過後（経過時間が所定期間を超えた場合）に撮影可能状態に復帰する方法について、図２（ｂ）を用いて説明する。
【００２２】
撮影方法ボタン１０６ａの指定によりＸ線検出器７が撮影モードへ遷移すると、Ｘ線検出器７内部のタイマがスタートする。撮影モードに遷移してから所定時間、例えば１０分が経過すると、Ｘ線検出器７は撮像素子への電圧供給を停止し、待機モードでの動作を開始し、制御部１へ待機モード遷移信号（非駆動信号）を送信する。制御部１は、撮影可能状態を解除し、撮影方法ボタン１０６ｂの表示形態を、撮影対象フォーカスから、所定時間経過により撮影可能状態が解除されたことを表すフォーカス（撮影待機フォーカスや第３の表示形態とも呼ぶ。）へ変更する（第２の制御部あるいは駆動制御部で実行されても良い）。また、ステータス表示領域１０３の「Ｒｅａｄｙ」メッセージも同様に、上述の状態を表す「Ｓｌｅｅｐｉｎｇ」に変更する（図２（ｃ））。
なお、第３の表示形態は、第１及び第２の表示形態と異なる表示形態である。また、第３の表示形態は、第２の表示形態と異なるだけでなく、第２の表示形態に対して類似性の高い表示形態であることが望ましい。例えば、ボタンの色が同じだが、一方の表示形態では外枠の色を濃くする、あるいは一方の表示形態では枠の内側を点滅させる、などの手法が考えられる。また、例えば、ボタンの色が同系色だが、一方の表示形態では薄い系統の色にする、などの手法でも良い。これにより、操作者は、第３の表示形態を見ることにより、撮像素子の駆動状態が解除される前の選択状態を容易に知ることができる。
【００２３】
撮影方法ボタン１０６ｂの撮影待機フォーカス及びステータス表示領域１０３の「Ｓｌｅｅｐｉｎｇ」メッセージによって、撮影技師は、撮影可能状態が解除されたことを認識できる。撮影技師は、撮影方法ボタン１０６ｂを再押下することで、撮影方法の再指定を行う。撮影方法の再指定が行われると、制御部１は、撮影方法ボタン１０６ｂのフォーカスを撮影待機フォーカスから撮影対象フォーカスへと変更し、上述と同様に撮影可能状態への移行処理を開始する。Ｘ線発生装置８及びＸ線検出器７の準備が整うと、ステータス表示領域１０３に「Ｒｅａｄｙ」メッセージが表示される（第３の制御部で実行されても良い）。これにより、所定時間経過前の撮影可能状態に復帰する（図２（ｂ））。
このように、撮影待機フォーカスのあたった撮影方法ボタンの再押下が元の撮影可能状態への復帰操作である。このため、撮影待機フォーカスは、例えば、点滅やアニメーションなどにより、撮影技師に再押下を促す表示形態であることが望ましい。
【００２４】
撮影待機フォーカスのあたった撮影方法ボタン１０６以外の未撮影の撮影方法ボタン１０６を押下すると、制御部１は、押下された撮影方法の撮影可能状態へ移行する。例えば、図２（ｂ）における腹部正面ボタン１０６ｃを押下すると、胸部側面ボタン１０６ｂの撮影待機フォーカスは解除され、押下された腹部正面ボタン１０６ｃに撮影対象フォーカスがあたる。また、制御部１は、腹部正面と対応付けられている臥位のＸ線検出器７ｂを撮影モードで駆動し、撮影可能状態へ移行する。
撮影対象フォーカスのあたった撮影方法ボタン１０６を再押下すると、表示部２にＸ線検出器選択画面を表示する。Ｘ線検出器７の選択画面には制御部１に登録されているＸ線検出器７が一覧表示され、選択されたＸ線検出器７を用いて当該撮影方法の撮影可能状態へ再移行する。
画像表示フォーカスのあたった撮影方法ボタン１０６を再押下すると、制御部１に撮影画像情報入力画面を表示する。撮影画像情報の入力画面では、撮影画像に関連する情報の入力ができ、検査終了後に撮影画像とともにＨＩＳ１１、ＲＩＳ１２、ＰＡＣＳ１３、プリンタ１４等の各種情報システムへ出力される。
【００２５】
ここで、経過時間が所定時間内であるか否かを判断する判断部を有していても良い。これにより、判断部の判断結果及び撮像素子の電気信号の変換の有無に応じた信号を制御部に送信することができる。
【００２６】
また、上記第３の表示形態が、経過時間に応じて変化する表示形態であることが好ましい。これにより、非駆動状態になってからの経過時間を撮影技師に簡単に知らせることができる。
【００２７】
また、撮影可能状態の解除よりさらに時間が経過すると、該解除前の撮影方法の撮影可能状態へ復帰させるケースが少なくなることが予想される。そのため、制御部１などに所定時間経過による撮影可能状態の解除でスタートするタイマ（測定部）を具備し、撮影可能状態の解除よりさらに所定時間経過後に撮影待機フォーカスを解除するようにしてもよい。
【００２８】
以上述べたように、撮影技師は所定時間経過後によりどの撮影方法の撮影可能状態が解除されたかを確認できるため、撮影方法の誤選択を抑制できる。さらに、撮影待機フォーカスのあたった撮影開始ボタンの再押下で、所定時間経過前と同様の撮影可能状態へ復帰するため、容易な復帰手段であると言える。
【００２９】
次に、本実施形態に係る撮影手順について、図３のフローチャートおよび図４のタイミングチャートを用いて説明する。
【００３０】
まず、ステップ１１において、操作部３で機能画像１０６ａが選択されると、制御部１が駆動信号４４をＸ線検出部７に送信する。次に、ステップ１２において、制御部１は選択された機能画像の表示形態を第１の表示形態から第２の表示形態に変更し、Ｘ線検出部７は駆動信号４４を受信すると撮像素子に電圧を印加して撮影準備を開始する。
【００３１】
また、ステップ１３において、Ｘ線検出部７は撮影準備が整うと撮影モードに移行したことを指示する照射許可信号４５を制御部１に送信する。さらに、内部などに設けられたタイマ４７の計測を開始させる。
また、ステップ１４において、制御部１が照射許可信号４５を受信すると表示部２のステータス表示領域１０３に「Ｒｅａｄｙ」４２を表示させる。
また、ステップ１５において、タイマ４７が計測を開始してから所定時間内にＸ線の照射があった場合には、ステップ１８に進む。ステップ１８において、制御部１はＸ線検出器７から送られてきた撮影画像を取得しステータス表示領域１０３に「Ｃａｐｔｕｒｉｎｇ」を表示させる。またＸ線検出器７はタイマ４７の計測を完了する。制御部１は取得した撮影画像に画像処理を施し、処理後の画像を画像表示領域１０２に表示させる。
また、ステップ１９において、制御部１は機能画像１０６ａの表示形態を画像表示領域１０２に画像が表示されていることを表す第４の表示形態へ変更する。そして、制御部１はステータス表示領域に「Ｎｏｔ  Ｒｅａｄｙ」４１を表示させ、機能画像１０６ａの撮影を終了する。
また、ステップ２０において、制御部１は機能画像１０６ｂ（機能画像１０６ａの次の撮影方法の機能画像）を選択状態とし、ステップ１２に進み、機能画像１０６ａと同様のフローにより機能画像１０６ｂの撮影を行う。
また、ステップ１５において、所定時間内にＸ線の照射がなかった場合には、ステップ１６に進む。ステップ１６において、Ｘ線検出器７は撮像素子への電圧供給を停止し、待機モードでの動作を開始する。さらに、Ｘ線検出器７は制御部１に待機モード遷移信号（非駆動信号４６）を送信し、タイマ４７の計測を完了してリセットする。
また、ステップ１７において、制御部１は非駆動信号４６を受けると機能画像１０６ａの表示形態を撮影可能状態が解除されたことを表す第３の表示形態へと変更し、ステータス表示部に「Ｓｌｅｅｐｉｎｇ」４３を表示させる。
なお、上記「Ｓｌｅｅｐｉｎｇ」４３の表示状態で第３の表示形態にある機能画像１０６ａが選択された場合、ステップ１１から上記と同様のフローにより撮影を行う。
【００３２】
（その他の実施形態）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００３３】
１  制御部
２  表示部
３  操作部
６  撮影台
７  Ｘ線検出器
８  Ｘ線発生装置
【図１】
0005460626.tif 000002
【図２】
0005460626.tif 000003
【図３】
0005460626.tif 000004
【図４】
0005460626.tif 000005